(57)【要約】【課題】場所による制約を受けることなく、測定データの処理を簡単かつ高能率で行う。【解決手段】プライ12の幅Ｗをメジャー11により測定すると、エンコーダ24から測定量に応じたパルスが発生されるとともに、発信器25から前記パルスを基に出力信号が電磁波として発信される。この出力信号は受信器により受信された後、測定量として記憶部に記憶される。このように測定を行った場所において送信することができるため、場所による制約を受けることが無く、しかも、出力信号を送信するだけでよいため、ヒューマンエラーを無くしつつ作業を簡単かつ高能率で行うことができる。【選択図】図１
2007327760.tif 000002
【特許請求の範囲】
【請求項１】
被測定物の各種値を測定手段により測定する工程と、前記測定手段による測定量に応じたパルスをエンコーダから発生する工程と、エンコーダからのパルスを基に発信器から出力信号を電磁波として発信する工程と、前記出力信号を受信機により受信する工程と、受信機が受信した出力信号を基に測定量を記憶部に記憶する工程とを備えたことを特徴とする測定データの処理方法。
【請求項２】
被測定物の各種値を測定する測定手段と、前記測定手段による測定量に応じたパルスを発生するエンコーダと、エンコーダからのパルスを基に出力信号を電磁波として発信する発信器と、出力信号を受信する受信器と、受信機が受信した出力信号を基に測定量を記憶する記憶部とを備えたことを特徴とする測定データの処理装置。
【請求項３】
前記測定手段は携帯式である請求項２記載の測定データの処理装置。
【請求項４】
前記測定手段は被測定物の長さを測定するメジャーである請求項２または３記載の測定データの処理装置。
【請求項５】
前記記憶部はコンピュータのメモリーまたはハードディスクであり、このコンピュータに１台以上の他のコンピュータを接続して記憶された測定データを他のコンピュータにおいても使用できるようにした請求項２〜４のいずれかに記載の測定データの処理装置。
【発明の詳細な説明】
【技術分野】
【０００１】
この発明は、被測定物の各種値を測定して処理する測定データの処理方法および装置に関する。
【背景技術】
【０００２】
従来、被測定物の各種値、例えばスプラインのオーバーピン径をデジタル量で測定するための測定装置（測定用ノギス）としては、例えば以下の特許文献１に記載されているようなものが知られている。
【特許文献１】特開２００３−４４３７号公報
【０００３】
このものは、本尺と、本尺に摺動可能に装着された副尺と、副尺に設けられ、前記本尺と副尺との相対的変位量を検出して出力信号を出力するエンコーダと、前記本尺および副尺にそれぞれ設けられ、少なくとも１つの測定子を有する検出器と、前記副尺に設けられ、エンコーダからの出力信号により得られた測定値をデジタル表示するデジタル表示器とを備えたものである。
【０００４】
そして、このような測定装置（測定用ノギス）によって測定された測定データは、作業者がデジタル表示器のデジタル値を読んで、該値を例えば記録紙に書き込んで記録、あるいは、該値をキーボードから入力してパーソナルコンピュータのメモリーに記憶させるようにしていた。
【発明の開示】
【発明が解決しようとする課題】
【０００５】
しかしながら、このような従来の測定装置にあっては、測定作業の度に測定データを記録紙に書き込んだりキーボードから入力する必要があるため、操作が面倒で能率も悪く、しかも、誤記載、誤入力するおそれもあるという課題があった。また、後者の場合には、測定位置からパーソナルコンピュータの設置位置まで移動した後、入力作業を行わねばならず、測定場所に大きな制約があるという課題もあった。
【０００６】
この発明は、場所による制約を受けることなく、測定データの処理を簡単かつ高能率で行うことができる測定データの処理方法および装置を提供することを目的とする。
【課題を解決するための手段】
【０００７】
このような目的は、第１に、被測定物の各種値を測定手段により測定する工程と、前記測定手段による測定量に応じたパルスをエンコーダから発生する工程と、エンコーダからのパルスを基に発信器から出力信号を電磁波として発信する工程と、前記出力信号を受信機により受信する工程と、受信機が受信した出力信号を基に測定量を記憶部に記憶する工程とを備えた測定データの処理方法により、達成することができる。
【０００８】
第２に被測定物の各種値を測定する測定手段と、前記測定手段による測定量に応じたパルスを発生するエンコーダと、エンコーダからのパルスを基に出力信号を電磁波として発信する発信器と、出力信号を受信する受信器と、受信機が受信した出力信号を基に測定量を記憶する記憶部とを備えた測定データの処理装置により、達成することができる。
【発明の効果】
【０００９】
被測定物の各種値を測定手段により測定すると、エンコーダから測定量に応じたパルスが発生され発信器に入力されるが、この発信器は前記パルスを基に出力信号を電磁波として発信する。このようにして発信された出力信号は受信器により受信された後、測定量として記憶部に記憶される。このように測定を行った場所において測定量を出力信号として送信することができるため、場所による制約を受けることが無く、しかも、出力信号を送信するだけでよく、記録紙への書き込みやキーボードからの入力は不要であるため、ヒューマンエラーを無くしつつ作業を簡単かつ高能率で行うことができる。
【００１０】
また、請求項３に記載のように構成すれば、任意の場所、時期において簡単に被測定物の各種値を測定することができる。そして、この発明は、請求項４に記載のようなメジャーに好適である。さらに、請求項５に記載のように構成すれば、データの共有化が促進され、データ管理が容易となるとともに、トラブル時にも迅速な対応が可能となる。
【実施例】
【００１１】
以下、この発明の実施例を図面に基づいて説明する。
図１、２において、11は被測定物の各種値、ここでは空気入りタイヤの成形に用いるプライ12の裁断幅Ｗ（長さ）を測定する測定手段としてのメジャーであり、この手のひらに載る程度の小型である携帯式のメジャー11は内部に収納空間13が形成された本体ケース14を有する。15は収納空間13内に収納されるとともに、本体ケース14の一側部に回転可能に支持されたリールであり、このリール15の外周には１mm間隔の目盛りが付された帯状のスチール製本尺16が多数回巻き取られている。そして、このリール15は図示していないスプリングにより前記本尺16を巻取る方向に回転するよう常時付勢されている。
【００１２】
18は収納空間13内に収納されたローラであり、このローラ18は本体ケース14の他側部に回転可能に支持されている。そして、前記リール15から他側に向かって巻き出された本尺16は該ローラ18に滑りを生じることなく掛け回された後、方向転換されることで一側に向かって延び、その始端部は本体ケース14の一端部に形成された引き出し口19から引き出されている。また、前記本尺16の始端にはプライ12の幅方向一側端に当接可能な測定爪20が設けられている。
【００１３】
一方、前記本体ケース14の一端には前記測定爪20に対向する測定突起21が形成され、この測定突起21にはプライ12の幅方向他側端が当接可能である。そして、前記測定爪20、測定突起21同士が当接している初期状態から本尺16を引き出した後、測定爪20、測定突起21をプライ12の幅方向両側端にそれぞれ当接させると、これら測定爪20、測定突起21間の距離がプライ12の裁断幅Ｗに等しくなるが、この距離は初期状態から本尺16を引き出した量と同一である。
【００１４】
24はローラ18の近傍においてメジャー11に内蔵された、例えば静電容量式のエンコーダであり、このエンコーダ24はメジャー11による測定量（本尺16の引き出し量）、ここでは、ローラ18の回転量に応じた数のパルスを発生する。なお、前述のエンコーダは光電式のものを用いるようにしてもよい。25はメジャー11に内蔵された発信器であり、この発信器25は前記エンコーダ24に接続されている。
【００１５】
そして、この発信器25は、例えば、前記エンコーダ24からのパルスをカウントして該カウント数をコード化し、その後、前記カウント数に応じた出力信号をコイルから電磁波として発信することができる。26は前記発信器25に接続されるとともに、本体ケース14に設けられたスイッチであり、このスイッチ26が押し込まれると、前記発信器25はエンコーダ24からのパルスを基に出力信号を発信する。
【００１６】
30は前記メジャー11による測定位置から離れた位置に設置されたコンピュータ（サーバー）であり、このコンピュータ30にはモニター31およびキーボード32が接続されている。また、このコンピュータ30には前記発信器25からの出力信号を受信する受信器33が内蔵され、この受信器33は受信した出力信号を前記コンピュータ30のＣＰＵに出力する。この結果、コンピュータ30は前記出力信号を基に前記メジャー11により測定された測定量に変換し、その値を測定データとして記憶部34としての内部メモリーあるいはハードディスクに記憶する。
【００１７】
36は前記コンピュータ30と有線、無線ＬＡＮ等で接続されている１台以上の他のコンピュータであり、これらのコンピュータ36は前述のようにコンピュータ30と接続されているため、該コンピュータ30に記憶されている前記測定データを必要なときに必要な場所で自由に読み出して使用することができる。これにより、測定データの共有化が促進され、データ管理が容易となるとともに、トラブル時にも迅速な対応が可能となる。
【００１８】
次に、前記実施例の作用について説明する。
今、メジャー11の本尺16がスプリングにより巻き取られ、測定爪20が測定突起21に当接している初期状態にあるとする。次に、このメジャー11を用いてプライ12の裁断幅Ｗを測定する場合には、作業者がプライ12の近傍まで移動した後、メジャー11から本尺16を引き出す。このとき、本尺16にはローラ18が滑ることなく転がり接触しているため、該ローラ18が回転するが、このローラ18の回転はエンコーダ24により検出され、該エンコーダ24からローラ18の回転量に応じた数のパルスが発生して発信器25に出力されるとともに、発信器25はこのパルスをカウントする。
【００１９】
その後、作業者は測定爪20をプライ12の、例えば幅方向一側端に当接させた後、メジャー11をプライ12に接近するよう移動させて測定突起21を、例えばプライ12の幅方向他側端に当接させる。このとき、これら測定爪20、測定突起21間の距離とプライ12の裁断幅Ｗとは等しく、また、この距離は前記初期状態から本尺16を引き出した量と同一である。このようにしてプライ12の裁断幅Ｗが測定されると、作業者はスイッチ26を押し込み、発信器25を作動させる。
【００２０】
この結果、前記発信器25はカウントしたパルス数をコード化するとともに、前記カウント数に応じた出力信号をコイルから電磁波として発信する。このようにして発信された出力信号は受信器33が受信してコンピュータ30のＣＰＵに出力するが、このとき、コンピュータ30はこの出力信号を基に前記測定量に変換し、その値を測定データとして記憶部34に記憶する。このように測定を行った場所において測定量を出力信号として送信することができるため、場所による制約を受けることが無く、しかも、出力信号を送信するだけでよく、記録紙への書き込みやキーボードからの入力は不要であるため、ヒューマンエラーを無くしつつ作業を簡単かつ高能率で行うことができる。
【００２１】
その後、記憶部34に記憶された測定データは他のコンピュータ36から自由に読み出して使用することができるため、測定データの共有化が促進され、データ管理が容易となるとともに、トラブル時にも迅速な対応が可能となる。ここで、前述のようにメジャー11が携帯式のものであると、任意の場所、時期において簡単に被測定物の長さを測定することができ、非常に便利である。
【００２２】
なお、前述の実施例においては、被測定物の各種値として空気入りタイヤの成形に用いるプライ12の裁断幅Ｗ（長さ）を測定するようにしたが、この発明においては、切り出された帯状トレッドの長さを測定したり、成形ドラム切替時の始業確認として該成形ドラムの長さを測定するようにしてもよい。また、前述の実施例においては、測定手段としてのメジャー11によって長さを測定するようにしたが、この発明においては、ノギス、マイクロメータ等を用いてタイヤ構成部材の厚さを測定したり、あるいは、温度計によって押出された帯状ゴムの温度を測定したり、角度計によってプライの裁断角度を測定するようにしてもよい。
【産業上の利用可能性】
【００２３】
この発明は、被測定物の各種値を測定して処理する産業分野に適用できる。
【図面の簡単な説明】
【００２４】
【図１】この発明の実施例を示す一部破断正面図である。
【図２】受信器、記憶部近傍の概略正面図である。
【符号の説明】
【００２５】
11…測定手段               12…被測定物
24…エンコーダ             25…発信器
30、36…コンピュータ       33…受信器
34…記憶部                 Ｗ…各種値（幅）
【図１】
2007327760.tif 000003
【図２】
2007327760.tif 000004